(57)【要約】【課題】電波状況が劣悪な環境下での携帯通信端末の消費電力を、基地局との通信を途絶させること無く低減する。【解決手段】携帯通信端末１を構成する送信部１０は、基地局に対して、無線信号１０２を定期的に送信する。検出部２０は、前記基地局との通信状態として、前記基地局からの無線信号１０３のＲＳＳＩ １０４を検出する。制御部３０は、ＲＳＳＩ １０４が予め定めた閾値未満である場合、送信部１０に、無線信号１０２の送信間隔を予め定めた間隔よりも延長させる。また、制御部３０は、ＲＳＳＩ １０４が前記閾値未満から前記閾値以上へ変化した場合、前記送信間隔を前記予め定めた間隔へリセットする。【選択図】図１
2012109717.tif 000002
【特許請求の範囲】
【請求項１】
基地局に対して、無線信号を定期的に送信する送信手段と、
前記基地局との無線通信状態を監視する監視手段と、
前記無線通信状態が予め定めた状態より劣悪である場合、前記送信手段に、前記無線信号の送信間隔を予め定めた間隔よりも延長させる制御手段と、
を備えた携帯通信端末。
【請求項２】
請求項１において、
前記制御手段は、前記送信手段に対して電力を間欠的に供給することにより、前記送信間隔を延長させる、
ことを特徴とした携帯通信端末。
【請求項３】
請求項１又は２において、
前記制御手段は、前記無線通信状態が前記予め定めた状態よりも良好になった場合、前記送信手段に、前記送信間隔を前記予め定めた間隔へリセットさせる、
ことを特徴とした携帯通信端末。
【請求項４】
請求項３において、
前記制御手段は、前記送信手段に対して電力を定常的に供給することにより、前記送信間隔をリセットさせる、
ことを特徴とした携帯通信端末。
【請求項５】
請求項１〜４のいずれか一項において、
前記監視手段は、前記無線通信状態として、前記基地局からの無線信号の受信強度を監視し、
前記制御手段は、前記受信強度が予め定めた閾値未満である場合に、前記送信手段に前記送信間隔を延長させる、
ことを特徴とした携帯通信端末。
【請求項６】
請求項３又は４において、
前記監視手段は、前記無線通信状態として、前記基地局からの無線信号の受信強度を監視し、
前記制御手段は、前記受信強度が予め定めた閾値未満から当該閾値以上へ変化した場合に、前記送信手段に前記送信間隔をリセットさせる、
ことを特徴とした携帯通信端末。
【請求項７】
基地局に対して無線信号を定期的に送信する携帯通信端末の通信制御方法であって、
前記基地局と前記携帯通信端末の間の無線通信状態を監視し、
前記無線通信状態が予め定めた状態より劣悪である場合、前記無線信号の送信間隔を予め定めた間隔よりも延長する、
ことを含む通信制御方法。
【請求項８】
請求項７において、
前記無線信号を送信する回路リソースに対して電力を間欠的に供給することにより、前記送信間隔を延長する、
ことを特徴とした通信制御方法。
【請求項９】
請求項７又は８において、
前記無線通信状態が前記予め定めた状態よりも良好になった場合、前記送信間隔を前記予め定めた間隔へリセットする、
ことを更に含む通信制御方法。
【請求項１０】
携帯通信端末に、
基地局に対して、無線信号を定期的に送信する処理と、
前記基地局との無線通信状態を監視する処理と、
前記無線通信状態が予め定めた状態より劣悪である場合、前記無線信号の送信間隔を予め定めた間隔よりも延長する処理と、
を実行させるための通信制御プログラム。
【発明の詳細な説明】
【技術分野】
【０００１】
本発明は、携帯通信端末、並びにその通信制御方法及びプログラムに関し、特に電波状況が劣悪な環境下で、携帯通信端末に対する電力制御を行う技術に関する。
【背景技術】
【０００２】
一般的な携帯通信端末は、弱電界エリア等の電波状況が劣悪な環境下で基地局に対してデータを無線送信する際に、その送信電力を上昇させる仕組みを有している(例えば、特許文献１参照)。
【０００３】
このような携帯通信端末は、基地局との無線通信状態の良否に関わらず、定期的にデータ通信を行う。このため、電波状況が劣悪な環境下では、携帯通信端末の電力消費量が、無線通信状態が良好である場合と比して増大してしまうという問題があった。
【０００４】
この問題に対処する技術が、例えば特許文献２に記載されている。特許文献２に記載される携帯通信端末は、電波状況が劣悪な場合に送信電力自体を低下させ、以て消費電力の低減を図っている。
【先行技術文献】
【特許文献】
【０００５】
【特許文献１】特開２０１０−１０３９６５号公報
【特許文献２】特表２００６−５１０３１３号公報
【発明の概要】
【発明が解決しようとする課題】
【０００６】
しかしながら、上記の特許文献２には、携帯通信端末と基地局の間の通信が途絶し、データが欠落し得るという課題があった。これは、劣悪な電波状況である程にデータが基地局へ到達し難い(換言すると、より高い電力でデータを送信する必要がある)にも関わらず、送信電力を低下させてしまうためである。
【０００７】
従って、本発明の目的は、電波状況が劣悪な環境下での携帯通信端末の消費電力を、基地局との通信を途絶させること無く低減することにある。
【課題を解決するための手段】
【０００８】
上記の目的を達成するため、本発明の第１の態様に係る携帯通信端末は、基地局に対して無線信号を定期的に送信する送信手段と、前記基地局との無線通信状態を監視する監視手段と、前記無線通信状態が予め定めた状態より劣悪である場合、前記送信手段に、前記無線信号の送信間隔を予め定めた間隔よりも延長させる制御手段とを備える。
【０００９】
また、本発明の第２の態様に係る通信制御方法は、基地局に対して無線信号を定期的に送信する携帯通信端末の通信制御方法を提供する。この通信制御方法は、前記基地局と前記携帯通信端末の間の無線通信状態を監視し、前記無線通信状態が予め定めた状態より劣悪である場合、前記無線信号の送信間隔を予め定めた間隔よりも延長することを含む。
【００１０】
さらに、本発明の第３の態様に係る通信制御プログラムは、携帯通信端末に、基地局に対して無線信号を定期的に送信する処理と、前記基地局との無線通信状態を監視する処理と、前記無線通信状態が予め定めた状態より劣悪である場合、前記無線信号の送信間隔を予め定めた間隔よりも延長する処理とを実行させる。
【発明の効果】
【００１１】
本発明によれば、電波状況が劣悪な環境下での携帯通信端末の消費電力を、基地局との通信を途絶させること無く低減することが可能である。
【図面の簡単な説明】
【００１２】
【図１】本発明の実施の形態に係る携帯通信端末の構成例を示したブロック図である。
【図２】本発明の実施の形態に係る携帯通信端末の動作例を示したフローチャート図である。
【発明を実施するための形態】
【００１３】
以下、本発明に係る携帯通信端末の実施の形態を、図１及び図２を参照して説明する。なお、各図面において、同一要素には同一の符号が付されており、説明の明確化のため、必要に応じて重複説明は省略される。
【００１４】
図１に示すように、本実施の形態に係る携帯通信端末１は、送信部１０と、ＲＳＳＩ検出部２０と、制御部３０とを備えている。
【００１５】
この内、送信部１０は、大略、基地局(図示せず)に対して無線信号を定期的に送信する。具体的には、送信部１０は、変調器１１と、増幅器１２とを含む。変調器１１は、制御部３０から出力されるベースバンド信号１０１を変調する。増幅器１２は、変調器１１により変調された信号を増幅し、無線信号１０２としてデュプレクサ２０１及びアンテナ２０２を介して送出する。
【００１６】
また、ＲＳＳＩ検出部２０は、基地局との無線通信状態として、アンテナ２０２及びデュプレクサ２０１を介して基地局から受信した無線信号１０３のＲＳＳＩ(Ｒｅｃｅｉｖｅｄ Ｓｉｇｎａｌ Ｓｔｒｅｎｇｔｈ Ｉｎｄｉｃａｔｏｒ) １０４を検出する。
【００１７】
さらに、制御部３０は、大略、ＲＳＳＩ １０４に基づいて送信部１０を制御し、以て無線信号１０２の送信間隔を調整する。具体的には、制御部３０は、制御信号１０５によって、バッテリ２０３と変調器１１及び増幅器１２の間に設けたスイッチ２０４＿１及び２０４＿２(以下、符号２０４で総称することがある)を後述する如く制御し、以て送信間隔を延長又は短縮する。
【００１８】
なお、図示を省略するが、携帯通信端末１は、一般的な携帯通信端末と同様、無線信号１０３を復調する機能、及び復調により得られたベースバンド信号を処理する機能も有する。但し、これらの機能は本発明の本質的部分では無いため、その説明を省略する。
【００１９】
次に、本実施の形態の動作を、図２を参照して詳細に説明する。
【００２０】
図２に示すように、携帯通信端末１の電源がＯＮされると(ステップＳ１)、携帯通信端末１は、基地局からの無線信号１０３の受信を開始する(ステップＳ２)。無線信号１０３は、アンテナ２０２で受信され、デュプレクサ２０１を経由してＲＳＳＩ検出部２０へ転送される。
【００２１】
この時、ＲＳＳＩ検出部２０は、基地局との無線通信状態の指標としてＲＳＳＩ １０４を測定し、制御部３０へ通知する(ステップＳ３)。この測定動作は、携帯通信端末１の電源がＯＦＦされる迄(ステップＳ４)、無線信号１０３が受信される度毎に繰り返し行われる。
【００２２】
そして、制御部３０は、ＲＳＳＩ １０４が所定の閾値Ｔｈ未満であるか否かを判定する(ステップＳ５)。この結果、ＲＳＳＩ １０４≧閾値Ｔｈが成立する場合、制御部３０は、基地局との無線通信状態が良好であると判断し、通常送信動作を行う(ステップＳ６)。具体的には、制御部３０は、制御信号１０５によってスイッチ２０４を導通させ、以てバッテリ２０３からの電力を、送信部１０に対して定常的に供給する。
【００２３】
これにより、無線信号１０２は、デュプレクサ２０１を経由してアンテナ２０２から、所定の間隔で送信されることとなる。
【００２４】
一方、ＲＳＳＩ １０４＜閾値Ｔｈが成立する場合、制御部３０は、基地局との無線通信状態が劣悪であると判断し、送信部１０に、無線信号１０２の送信間隔を所定の間隔よりも延長させる(ステップＳ７)。具体的には、制御部３０は、制御信号１０５によってスイッチ２０４の導通状態と非導通状態とを交互に切替え、以てバッテリ２０３からの電力を、送信部１０に対して間欠的に供給する。
【００２５】
これにより、送信部１０の動作頻度が、通常送信動作時と比較して低下する。このため、電波状況が劣悪な環境下で送信電力(バッテリ２０３からの供給電力)を上昇させても、高い電力での送信頻度を下げることができ、以て携帯通信端末１における合計の電力消費量を一般的な携帯通信端末と比して低減できる。また、送信電力自体は何ら低下させないため、基地局との通信途絶も回避できる。さらに、携帯通信端末１のユーザにとっては、電波状況が劣悪な環境下でバッテリの持ち時間が短く見えること等が改善されるといったメリットがある。
【００２６】
この後、ＲＳＳＩ １０４が閾値Ｔｈ以上へ変化した場合(基地局との無線通信状態が良好になった場合)、制御部３０は、上記のステップＳ６へ進んで、無線信号１０２の送信間隔を所定の間隔へリセット(短縮)し、以て通常送信動作を再開する。
【００２７】
なお、上記の実施の形態によって本発明は限定されるものではなく、特許請求の範囲の記載に基づき、当業者によって種々の変更が可能なことは明らかである。
【００２８】
例えば、基地局との無線通信状態の監視に際しては、上記のＲＳＳＩ １０４に代えて、無線信号１０３の受信品質(例えば、ＢＥＲ(Ｂｉｔ Ｅｒｒｏｒ Ｒａｔｅ))を検出しても良い。但し、ＲＳＳＩ １０４を用いた方が、基地局との無線通信状態をより迅速且つ簡易に監視でき好適であろう。
【００２９】
また、送信部１０の動作頻度は、上記のように電力供給を制御する手法に代えて、制御部３０からのベースバンド信号１０１の出力タイミング(或いは、生成タイミング)を調整することによって変更しても良い。但し、電力供給を制御する手法の方が、携帯通信端末１の消費電力をより低減でき好適であろう。
【００３０】
さらに、上記の実施の形態に示した携帯通信端末１の各処理を、コンピュータに実行させるためのプログラムとして提供することもできる。この場合、プログラムは、様々なタイプの非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)を用いて格納され、コンピュータに供給することができる。ここで、非一時的なコンピュータ可読媒体は、様々なタイプの実体のある記録媒体(ｔａｎｇｉｂｌｅ ｓｔｏｒａｇｅ ｍｅｄｉｕｍ)を含む。非一時的なコンピュータ可読媒体の例は、磁気記録媒体(例えば、フレキシブルディスク、磁気テープ、ハードディスクドライブ)、光磁気記録媒体(例えば、光磁気ディスク)、ＣＤ−ＲＯＭ(Ｒｅａｄ Ｏｎｌｙ Ｍｅｍｏｒｙ)、ＣＤ−Ｒ、ＣＤ−Ｒ／Ｗ、半導体メモリ(例えば、マスクＲＯＭ、ＰＲＯＭ(Ｐｒｏｇｒａｍｍａｂｌｅ ＲＯＭ)、ＥＰＲＯＭ(Ｅｒａｓａｂｌｅ ＰＲＯＭ)、フラッシュＲＯＭ、ＲＡＭ(Ｒａｎｄｏｍ Ａｃｃｅｓｓ Ｍｅｍｏｒｙ))を含む。プログラムは、様々なタイプの一時的なコンピュータ可読媒体(ｔｒａｎｓｉｔｏｒｙ ｃｏｍｐｕｔｅｒ ｒｅａｄａｂｌｅ ｍｅｄｉｕｍ)によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【産業上の利用可能性】
【００３１】
本発明は、携帯通信端末、並びにその通信制御方法及びプログラムに適用され、特に弱電界エリア等の電波状況が劣悪な環境下で、携帯通信端末の消費電力を低減する用途に適用される。
【００３２】
上記の実施の形態の一部又は全部は、以下の付記のようにも記載され得るが、以下には限られない。
【００３３】
（付記１）
基地局に対して、無線信号を定期的に送信する送信手段と、
前記基地局との無線通信状態を監視する監視手段と、
前記無線通信状態が予め定めた状態より劣悪である場合、前記送信手段に、前記無線信号の送信間隔を予め定めた間隔よりも延長させる制御手段と、
を備えた携帯通信端末。
【００３４】
（付記２）付記１において、
前記制御手段は、前記送信手段に対して電力を間欠的に供給することにより、前記送信間隔を延長させる、
ことを特徴とした携帯通信端末。
【００３５】
（付記３）付記１又は２において、
前記制御手段は、前記無線通信状態が前記予め定めた状態よりも良好になった場合、前記送信手段に、前記送信間隔を前記予め定めた間隔へリセットさせる、
ことを特徴とした携帯通信端末。
【００３６】
（付記４）付記３において、
前記制御手段は、前記送信手段に対して電力を定常的に供給することにより、前記送信間隔をリセットさせる、
ことを特徴とした携帯通信端末。
【００３７】
（付記５）付記１〜４のいずれか一つにおいて、
前記監視手段は、前記無線通信状態として、前記基地局からの無線信号の受信強度を監視し、
前記制御手段は、前記受信強度が予め定めた閾値未満である場合に、前記送信手段に前記送信間隔を延長させる、
ことを特徴とした携帯通信端末。
【００３８】
（付記６）付記３又は４において、
前記監視手段は、前記無線通信状態として、前記基地局からの無線信号の受信強度を監視し、
前記制御手段は、前記受信強度が予め定めた閾値未満から当該閾値以上へ変化した場合に、前記送信手段に前記送信間隔をリセットさせる、
ことを特徴とした携帯通信端末。
【００３９】
（付記７）
基地局に対して無線信号を定期的に送信する携帯通信端末の通信制御方法であって、
前記基地局と前記携帯通信端末の間の無線通信状態を監視し、
前記無線通信状態が予め定めた状態より劣悪である場合、前記無線信号の送信間隔を予め定めた間隔よりも延長する、
ことを含む通信制御方法。
【００４０】
（付記８）付記７において、
前記無線信号を送信する回路リソースに対して電力を間欠的に供給することにより、前記送信間隔を延長する、
ことを特徴とした通信制御方法。
【００４１】
（付記９）付記７又は８において、
前記無線通信状態が前記予め定めた状態よりも良好になった場合、前記送信間隔を前記予め定めた間隔へリセットする、
ことを更に含む通信制御方法。
【００４２】
（付記１０）付記９において、
前記無線信号を送信する回路リソースに対して電力を定常的に供給することにより、前記送信間隔をリセットする、
ことを特徴とした通信制御方法。
【００４３】
（付記１１）付記７〜１０のいずれか一つにおいて、
前記無線通信状態として、前記基地局からの無線信号の受信強度を監視し、
前記受信強度が予め定めた閾値未満である場合に、前記送信間隔を延長する、
ことを特徴とした通信制御方法。
【００４４】
（付記１２）付記９又は１０において、
前記無線通信状態として、前記基地局からの無線信号の受信強度を監視し、
前記受信強度が予め定めた閾値未満から当該閾値以上へ変化した場合に、前記送信間隔をリセットする、
ことを特徴とした通信制御方法。
【００４５】
（付記１３）
携帯通信端末に、
基地局に対して、無線信号を定期的に送信する処理と、
前記基地局との無線通信状態を監視する処理と、
前記無線通信状態が予め定めた状態より劣悪である場合、前記無線信号の送信間隔を予め定めた間隔よりも延長する処理と、
を実行させるための通信制御プログラム。
【符号の説明】
【００４６】
１  携帯通信端末
１０  送信部
２０  ＲＳＳＩ検出部
３０  制御部
１０１  ベースバンド信号
１０２, １０３  無線信号
１０４  ＲＳＳＩ
１０５  制御信号
２０１  デュプレクサ
２０２  アンテナ
２０３  バッテリ
２０４  スイッチ
Ｔｈ  閾値
【図１】
2012109717.tif 000003
【図２】
2012109717.tif 000004